(57)【要約】【課題】  正しいパッティングの姿勢を体得できるとともにパッティングの技量に応じて練習の難易度を調整可能であり、実際のグリーン上での芝目を利用して実践的な練習が可能で、構造が簡単で携帯に便利なパッティング練習器具を提供することである。【解決手段】  互いに平行に配置される一対のガイド部２ａ，２ｂと、この一対のガイド部２ａ，２ｂの一の端部に渡設される第１のブリッジ部３と、一対のガイド部２ａ，２ｂの他の端部に渡設される第２のブリッジ部４とを有し、一対のガイド部２ａ，２ｂと第１のブリッジ部３と第２のブリッジ部４とに包囲されて上部と底部が開口した開口部５が形成されるものである。【選択図】  図１
2008036115.tif 000002
【特許請求の範囲】
【請求項１】
互いに平行に配置される一対のガイド部と、この一対のガイド部の一の端部に渡設される第１のブリッジ部と、前記一対のガイド部の他の端部に渡設される第２のブリッジ部とを有し、前記一対のガイド部と前記第１のブリッジ部と前記第２のブリッジ部とに包囲されて上部と底部が開口した開口部が形成されることを特徴とするパッティング練習器具。
【請求項２】
前記一対のガイド部の両方を各々平行に移動して位置を固定する位置調整部を有し、この位置調整部は、前記第１のブリッジ部と前記一対のガイド部の一の端部を固定する少なくとも一対の固定部材と、前記第２のブリッジ部と前記一対のガイド部の他の端部を固定する少なくとも一対の固定部材とを備えることを特徴とする請求項１記載のパッティング練習器具。
【請求項３】
前記一対のガイド部の一のガイド部を平行に移動して位置を固定する位置調整部を有し、この位置調整部は、前記第１のブリッジ部と前記一のガイド部の一の端部を固定する少なくとも１の固定部材と、前記第２のブリッジ部と前記一のガイド部の他の端部を固定する少なくとも１の固定部材とを備えることを特徴とする請求項１記載のパッティング練習器具。
【請求項４】
前記第１のブリッジ部は、前記一対のガイド部の一の端部に渡設され上面又は側面に照準点又は照準線を備えることを特徴とする請求項１乃至請求項３のいずれか１項に記載のパッティング練習器具。
【請求項５】
前記第２のブリッジ部は、前記一対のガイド部の他の端部の側部に渡設されゴルフボールが挿通可能な孔部を備えることを特徴とする請求項１乃至請求項４のいずれか１項に記載のパッティング練習器具。
【請求項６】
前記第１のブリッジ部及び前記第２のブリッジ部は、前記一対のガイド部に着脱自在に固定されることを特徴とする請求項１乃至請求項５のいずれか１項に記載のパッティング練習器具。
【発明の詳細な説明】
【技術分野】
【０００１】
本発明は、ゴルフのパットを練習するためのパッティング練習器具に関する。
【背景技術】
【０００２】
一般に、ゴルフのスコアにおいては、パットの回数がスコアの約半分を占めており、スコアを向上させるためには、パットを上達させることが重要であることが知られている。このパットを成功させるためには、ラインを正確に読むことも重要であるが、やはり、打ち損ないを無くすことが肝要である。通常、パットでは、パターのヘッドのフェイスを目標ラインに対して直角に置き、下半身を動かさずに肩と腕を使って、ヘッドを真っ直ぐに動かすことが基本であり、この基本を踏まえた反復練習が必要であるが、パットは通常のスイングに比べると地味な練習になりがちで飽きやすく、また、ヘッドを真っ直ぐに動かせているか否かは単独での練習では判別し難いものである。そこで、パットの練習においてパターの移動を案内したり矯正したりする装置が考えられている。
【０００３】
例えば、特許文献１には、「ゴルフパット練習装置」という名称で、正確なパットをトレーニングできるゴルフパット練習装置に関する発明が開示されている。
この特許文献１に開示された発明は、上面に複数の視覚的識別デザイン角度ラインが設置される平らな基板と、この平らな基板に沿って設置され、一の上面に複数の視覚的識別デザインスイングラインが設置される略平行の一対のガイドレールと、一のガイドレールに設置されゴルフパターのヘッドが基板やガイドレールに接触したときにスイングの矯正の必要性を示すセンサーとを備えるガイド部材から構成されている。
そして、使用者は、基板上に設置された視覚的識別デザイン角度ラインを目印にして、基板に対してパターヘッドが直角になるようにして一対のガイドレールの間でスイングの練習を行う。ここで、パターヘッドが基板や一対のガイドレールに接触すると、センサーが感知し、ランプ等を点灯したりしてスイングの矯正の必要性を示すので、使用者は、スイングを矯正することにより自然なパットストロークを簡単かつ効果的に習得することができる。
【０００４】
また、特許文献２には、「ゴルフパッティング練習器」という名称で、パターを垂直かつ水平に湾曲する経路に案内し、この経路の曲率を使用者の体格に適合するように調整できるゴルフパッティング練習器に関する発明が開示されている。
この特許文献２に開示された発明は、パターを保持する保持器と、この保持器を湾曲した移動経路に案内する平行な一対の案内レールと、パターのヘッドを保持器の移動方向に対して垂直な位置に保持する手段と、保持器の移動経路の曲率を垂直及び水平の両方で調整する手段から構成されている。
そして、パターを着脱可能に保持する保持器にパターのヘッドを装着して、パターを動かすと、保持器が湾曲した平行な案内レールに沿って移動するように構成されているので、使用者はパターを垂直かつ平行に移動することになり、正しいパッティングストロークを習得することができる。また、案内レールの端部を垂直及び水平方向に移動することにより移動経路の曲率を調整することができるので、使用者の体格に適合する移動経路の曲率を設定することができる。
【０００５】
そして、特許文献３には、「ゴルフパッティング練習補助装置」という名称で、案内面の傾斜角度を自在に調整し、使用者のパッティング時の姿勢に適合する傾斜角度でパターを案内するゴルフパッティング練習補助装置に関する発明が開示されている。
この特許文献３に開示された発明は、パターの先端又はヒールの一方が接触し、全長に亘って平面で、平坦な基部又は地面に対して斜めに配置され傾斜角度が調整可能な表裏による二の案内面を有する案内部材から構成されている。
そして、使用者がパッティングする姿勢において、ボールと使用者の肩とを結ぶ直線と平行になるように案内面は基部に対して斜めに設置されており、使用者側に傾斜する一の案内面にパターの先端が接触するようにしてパターをスイングすることにより正しいスイングを習得することができる。一方、一の案内面の裏側に位置する他の案内面では、パターのヒールを接触させて、パターの先端の場合と同様にスイングすることにより、パターのヒールの動作の矯正を行うことができる。また、基板に直線等を表示し、この直線を目標としてパターフェイスの正しい整合性を確認することもできる。
【特許文献１】特開平７−２７５４２６号公報
【特許文献２】特表２００５−５１５８６０号公報
【特許文献３】特表２００４−５０３３４６号公報
【発明の開示】
【発明が解決しようとする課題】
【０００６】
しかしながら、特許文献１に記載された従来の技術では、平行な一対のサイドレールの間でパターを動かすので、パターの直線移動を容易とし、反復練習を行うことができるが、底面に基板が設置されているので、この練習は屋内外での模擬練習に留まり、実際にグリーン上で練習することができないという課題があった。また、装置には電源を必要とするセンサーが設置されているので、ランニングコストがかかる上に、装置全体が大型となるので、携帯には不向きであるという課題もあった。
さらに、パッティングの初心者から上級者へと練習によって上達することが考えられるが、その技術の向上に対するレベル調整という観点からの配慮がなされておらず、あらゆる技量の使用者に対する配慮に欠けるという課題もあった。
【０００７】
また、特許文献２に記載された従来の技術では、パターヘッドを固定し、予め決定された移動経路に沿って移動させるものであり、使用者の体格に合わせてこの移動経路の曲率を変更することを可能としているが、適切な曲率の選定が困難であり、誤った姿勢を習得しかねないという課題があった。また、実際に、グリーン上での使用は可能ではあるが、二つの平行な案内レールによりストロークが追従され、感覚はつかめるものの実践的ではないという課題があった。
さらに、特許文献１に開示される発明と同様に、パッティング技術の向上に伴うレベル調整という機能を備えていないという課題があった。
【０００８】
そして、特許文献３に記載された従来の技術では、地面に対して斜めに配置される平面の案内面にパターの先端又はヒールを接触させて移動させるものであるが、案内面と地面が形成する角度である平面角は使用者毎に異なるものであり、この調整を使用者単独で正確に行うことは困難であるという課題があった。また、案内面にパターを接触させるので、パターや装置が損傷しやすいという課題もあった。さらに、特許文献１の場合と同様に、基本的には底面に基板を有しているので、ゴルフ場でのグリーンの芝目を利用した練習はできないという課題もあった。また、特許文献１及び特許文献２に開示される発明と同様に、パッティング技術の向上に伴うレベル調整という観点からの機能を備えていないという課題があった。
【０００９】
本発明はかかる従来の事情に対処してなされたものであり、正しいパッティングの姿勢を体得できるとともにパッティングの技量に応じて練習の難易度を調整可能であり、実際のグリーン上での芝目を利用して実践的な練習が可能で、さらには、構造が簡単で携帯に便利なパッティング練習器具を提供することを目的とする。
【課題を解決するための手段】
【００１０】
上記目的を達成するため、請求項１記載の発明であるパッティング練習器具は、互いに平行に配置される一対のガイド部と、この一対のガイド部の一の端部に渡設される第１のブリッジ部と、一対のガイド部の他の端部に渡設される第２のブリッジ部とを有し、一対のガイド部と第１のブリッジ部と第２のブリッジ部とに包囲されて上部と底部が開口した開口部が形成されるものである。
上記構成のパッティング練習器具では、一対のガイド部と第１のブリッジ部と第２のブリッジ部とによって開口部が形成されるように作用し、この開口部は上部と底部が開口しているので、上部からはパターを挿入可能で、底部ではパッティング練習器具を載置する地面を露出するように作用する。また、一対のガイド部は、開口部に挿入されるパターを直線移動するように案内するという作用を有する。
【００１１】
また、請求項２に記載の発明であるパッティング練習器具は、請求項１に記載のパッティング練習器具において、一対のガイド部の両方を各々平行に移動して位置を固定する位置調整部を有し、この位置調整部は、第１のブリッジ部と一対のガイド部の一の端部を固定する少なくとも一対の固定部材と、第２のブリッジ部と一対のガイド部の他の端部を固定する少なくとも一対の固定部材とを備えるものである。
上記構成のパッティング練習器具では、請求項１に記載の発明の作用に加えて、位置調整部は、一対のガイド部の両方を各々移動して一対のガイド部間の距離を変更して固定するという作用を有する。また、固定部材は、第１のブリッジ部と一対のガイド部の一の端部及び第２のブリッジ部と一対のガイド部の他の端部のそれぞれを固定するように作用する。
【００１２】
また、請求項３に記載の発明であるパッティング練習器具は、請求項１記載のパッティング練習器具において、一対のガイド部の一のガイド部を平行に移動して位置を固定する位置調整部を有し、この位置調整部は、第１のブリッジ部と一のガイド部の一の端部を固定する少なくとも１の固定部材と、第２のブリッジ部と一のガイド部の他の端部を固定する少なくとも１の固定部材とを備えるものである。
上記構成のパッティング練習器具では、請求項１記載の発明の作用に加えて、位置調整部は、一対のガイド部の一のガイド部のみを移動して一対のガイド部間の距離を変更して固定するという作用を有する。また、固定部材は、第１のブリッジ部と一のガイド部の一の端部及び第２のブリッジ部と一のガイド部の他の端部のそれぞれを固定するように作用する。
【００１３】
そして、請求項４に記載の発明であるパッティング練習器具は、請求項１乃至請求項３のいずれか１項に記載のパッティング練習器具において、第１のブリッジ部は、一対のガイド部の一の端部に渡設され上面又は側面に照準点又は照準線を備えるものである。
上記構成のパッティング練習器具では、請求項１乃至請求項３のいずれか１項に記載の発明の作用に加えて、第１のブリッジ部に設置される照準点又は照準線は、目標物に対してパッティング練習器具を照準させるように作用する。
【００１４】
さらに、請求項５に記載の発明であるパッティング練習器具は、請求項１乃至請求項４のいずれか１項に記載のパッティング練習器具において、第２のブリッジ部は、一対のガイド部の他の端部の側部に渡設されゴルフボールが挿通可能な孔部を備えるものである。
上記構成のパッティング練習器具では、請求項１乃至請求項４のいずれか１項に記載の発明の作用に加えて、第２のブリッジ部に形成される孔部は、ゴルフボールを外部からパッティング練習器具の開口部に挿通するように作用する。
【００１５】
最後に、請求項６に記載の発明であるパッティング練習器具は、請求項１乃至請求項５のいずれか１項に記載のパッティング練習器具において、第１のブリッジ部及び第２のブリッジ部は、一対のガイド部に着脱自在に固定されるものである。
上記構成のパッティング練習器具では、請求項１乃至請求項５のいずれか１項に記載の発明の作用に加えて、第１のブリッジ部及び第２のブリッジ部は、一対のガイド部に自在に装着したり離脱させたりするように作用する。
【発明の効果】
【００１６】
本発明の請求項１記載のパッティング練習器具では、開口部にパターのヘッドを挿入して互いに平行な一対のガイド部に沿ってパターヘッドを動かすことによって正しいパッティングのストロークを体得できる。また、開口部の底部が開口しているので、パッティング練習器具を屋内用のパターマットや実際のグリーン上に置いて芝目を読みながら実践的な練習を行うことができる。また、構造が簡単であるので、組み立て、解体及び持ち運びが容易である。
【００１７】
また、本発明の請求項２に記載のパッティング練習器具では、請求項１に記載の発明の効果に加えて、一対のガイド部の両方を移動することによりパターヘッドの大きさに合わせて一対のガイド部の幅を調整することができる。また、練習者が初心者であるかあるいは上級者であるかに応じて、パターヘッドと一対のガイド部間の距離を調整することが可能であるので、練習者がパターヘッドの振れを小さくしてガイド部に接触しないようにすることで、よりストロークの精度の向上を目指すことが可能である。パッティングの技量の向上に応じて、よりパターヘッドとガイド部間の距離を狭めることが可能であり、その距離が自己の技量の向上のバロメータとすることができ、定量的な技量評価を行うことも可能である。
【００１８】
また、本発明の請求項３に記載のパッティング練習器具では、請求項２に記載のパッティング練習器具と同様に、パターヘッドの大きさに合わせて一対のガイド部の幅を調整することができるが、一対のガイド部の他のガイド部は固定されているので、一のガイド部のみを移動して簡単に幅調整を行うことができる。また、先の請求項２に記載される発明の効果と同様に、練習者の技量に応じて、パターヘッドと一対のガイド部間の距離を調整することが可能であるので、ストロークの精度の向上を目指すことが可能であり、また、パターヘッドとガイド部間の距離によって練習者の定量的な技量評価を行うことも可能である。
【００１９】
そして、本発明の請求項４に記載のパッティング練習器具では、第１のブリッジ部には照準点又は照準線が設置されているので、ホールに照準を合わせてラインを想定し、パッティング練習を行うことができる。
【００２０】
さらに、本発明の請求項５に記載のパッティング練習器具では、パッティング練習器具の外部にゴルフボールが載置されていても、第２のブリッジ部に形成される孔部から挿通させると簡単に開口部にゴルフボールを挿入することができる。
【００２１】
最後に、本発明の請求項６に記載のパッティング練習器具では、第１のブリッジ部及び第２のブリッジ部は、一対のガイド部から簡単に取り外したり、装着したりすることができるので、未使用時はコンパクトに収納されるとともに携帯性が優れている。
【発明を実施するための最良の形態】
【００２２】
以下に、本発明に係るパッティング練習器具の第１の実施の形態を図１乃至図４に基づき説明する。（請求項１及び請求項２、請求項４乃至請求項６に対応）
図１（ａ）及び（ｂ）は、本発明の第１の実施の形態に係るパッティング練習器具の斜視図である。
図１（ａ）及び（ｂ）において、本第１の実施の形態に係るパッティング練習器具１は、主に、一対のガイド部２ａ，２ｂと、第１のブリッジ部３と、第２のブリッジ部４から構成されている。
一対のガイド部２ａ，２ｂはいずれも長細い略四角形状の板材であり、一のガイド部２ａと他のガイド部２ｂが一定の距離を隔てて互いに平行に配置されている。そして、この一対のガイド部２ａ，２ｂの一の端部に四角形状で上面に照準点８ａ，８ｂが設置された第１のブリッジ部３が載上され、二対の蝶ねじ６ａ，６ｂ，７ａ，７ｂによって一対のガイド部２ａ，２ｂに固定されている。また、一対のガイド部２ａ，２ｂの他の端部の側面には、略四角形状でボール挿通孔９が形成された第２のブリッジ部４が二対の蝶ねじ１０ａ，１０ｂ，１１ａ，１１ｂによって一対のガイド部２ａ，２ｂに固定されている。第２のブリッジ部４の上面には、照準点８ｃが設けられており、この照準点８ｃは、第１のブリッジ部３の上面に設置される照準点８ａ，８ｂと共に用いることで、パッティング練習器具１をゴルフ場のグリーン上に設置する際に、ホール位置との関係を定めることが可能である。この使用方法については、図３を参照しながら後述する。
さらに、一対のガイド部２ａ，２ｂの中央近傍の上面には、打ち出し方向に対してパターフェイスを直角にセットするためのパターフェイスチェックポイント８ｄ，８ｅがマーキングされている。
一対のガイド部２ａ，２ｂ、第１のブリッジ部３及び第２のブリッジ部４に包囲された空間に、上部と底部が開口した開口部５が形成されている。
本第１の実施の形態では、詳細については後述するが、開口部５にパターのヘッドを挿入し、ヘッドのフェイスを一対のガイド部２ａ，２ｂに対して直角にしてヘッドが一対のガイド部２ａ，２ｂに接触しないようにパターを振ってパッティングの練習を行うものである。
【００２３】
また、一対のガイド部２ａ，２ｂの幅は、位置調整部を用いることで使用するパターの大きさに合わせて変更することができる。この位置調整部は、二対の蝶ねじ６ａ，６ｂ，７ａ，７ｂ、二対の蝶ねじ１０ａ，１０ｂ，１１ａ，１１ｂ、一対のガイド部２ａ，２ｂに刻設されるねじ穴、第１のブリッジ部３の挿通孔及び第２のブリッジ部４の挿通孔によって構成されるものである。以下、具体的に説明する。
蝶ねじ６ａ，６ｂ及び蝶ねじ７ａ，７ｂは、第１のブリッジ部３と一対のガイド部２ａ，２ｂの着脱可能な固定部材として、第１のブリッジ部３に形成された貫通孔に挿通され、一対のガイド部２ａ，２ｂに刻設されたねじ穴に螺合されている。また、同様に、蝶ねじ１０ａ，１０ｂ及び蝶ねじ１１ａ，１１ｂも第２のブリッジ部４と一対のガイド部２ａ，２ｂの着脱可能な固定部材として、第２のブリッジ部４に形成された貫通孔に挿通され、一対のガイド部２ａ，２ｂに刻設されたねじ穴に螺合されている。第１のブリッジ部３及び第２のブリッジ部４には一の蝶ねじに対して複数の貫通孔が形成されており、固定状態の蝶ねじを抜脱して、異なる貫通孔に挿通し替えて一対のガイド部２ａ，２ｂのねじ穴にそれぞれ螺合すると、一対のガイド部２ａ，２ｂの幅を変更することができる。
一対のガイド部２ａ，２ｂと第１のブリッジ部３及び第２のブリッジ部４を固定するための固定部材は、蝶ねじ以外でも抜差し可能なものであれば特に限定されるものではなく、その設置数も二対でなくても一対以上であればよい。
そして、全ての蝶ねじを抜脱すると、一対のガイド部２ａ，２ｂ、第１のブリッジ部３及び第２のブリッジ部４は解体されてそれぞれ一枚板となり、束ねることでコンパクトに収納することができる。したがって、未使用時には広い収納場所が不要であり、また、嵩張らないので携帯が容易で、ゴルフ場への持参も容易となる。
また、パッティング練習器具１を構成する一対のガイド部２ａ，２ｂ、第１のブリッジ部３及び第２のブリッジ部４の材質には、軽量で加工が容易であり、しかも安価なＦＲＰ（繊維強化プラスチック）やアルミニウム等を用いるとよい。
【００２４】
ここで、一対のガイド部の幅調整についてさらに図２を参照しながら説明する。
図２は、本第１の実施の形態に係るパッティング練習器具の第１のブリッジ部の上面図である。
図２において、第１のブリッジ部３には挿通孔１２ａ〜１２ｄがそれぞれ複数の挿通孔を備えて設置されている。挿通孔１２ａ，１２ｂは図１における蝶ねじ６ａ，６ｂにそれぞれ対応するものであり、挿通孔１２ｃ，１２ｄは、同じく図１における蝶ねじ７ａ，７ｂに対応するものである。挿通孔１２ａについてみると、挿通孔１２ａは二段に分けて配列されており、一段目と二段目では挿通孔が重ならないように一段目の挿通孔と挿通孔の間に二段目の挿通孔が位置するように配置されている。すなわち、図２において、一部についてのみ符号を付して説明すると、一段目の挿通孔１２ｅと挿通孔１２ｆの間に、二段目の挿通孔１２ｇが配置されるのである。このように挿通孔１２ａ以外の挿通孔１２ｂ，１２ｃ，１２ｄにおいても同様の配置で挿通孔が刻設されているので、各挿通孔間のピッチは短くなり、その結果、一対のガイド部の幅調整を細かく設定することができる。
なお、図示していないが、第２のブリッジ部についても第１のブリッジ部３と同様の配置で挿通孔が形成されており、第１のブリッジ部３と第２のブリッジ部には対応する挿通孔に蝶ねじが挿通されて一対のガイド部のねじ穴に螺合される。ここで、一対のガイド部は常に平行であることが望ましく、対応しない挿通孔を使用すると、一対のガイド部は平行にならないので、複雑に配置される挿通孔のそれぞれには対応するように共通の符号を付すなどすると、蝶ねじの挿入位置を間違えることなく、一対のガイド部の幅調整を行うことができる。
【００２５】
続いて、パッティング練習器具の使用方法について図３及び図４を参照しながら説明する。
図３及び図４は、本第１の実施の形態に係るパッティング練習器具の使用方法を説明するための概念図である。なお、図３及び図４において、図１に記載されたものと同一部分については同一符号を付し、その構成についての説明は省略する。
図３において、パッティング練習器具１はゴルフ場の実際のグリーン１７上に載置され、使用者はパター１３を把持してヘッド１５をパッティング練習器具１の開口部５に挿入し、ゴルフボール１６をホール１８に向けてパットする練習を行うところである。ここで、パッティング練習器具１はホール１８に照準されており、この照準は、第１のブリッジ部３に設置された照準点８ａ，８ｂ及び第２のブリッジ部４上に設置された８ｃとホール１８を結ぶ直線１９が一直線になるように行う。なお、照準点８ａ，８ｂは照準点８ａと照準点８ｂを結んで照準線にしてもよい。また、本実施の形態においては、照準点を３点設けているが、第１のブリッジ部３の上面の２つの照準点８ａ，８ｂのうち、１点を省略してもよいし、また、第２のブリッジ部４の照準点８ｃは、上面以外に外側面に設置してもよい。さらに、第２のブリッジ部４の外側面に設置される照準点は、照準線としてもよい。
そして、使用者はパッティング練習器具１の一対のガイド部２ａ，２ｂの間にパター１３を挿入し、パターフェイスチェックポイント８ｄ，８ｅを用いてヘッド１５のフェイスの直角度を確認し、さらに、図中符号Ｄで表現される一対のガイド部２ａ，２ｂとの余裕幅を確認しつつ構え、ヘッド１５が接触しないようにしてパター１３を振り、ゴルフボール１６にヘッド１５をヒットさせて、打出し方向２１にゴルフボール１６を進めて、ホールインを目指す。
【００２６】
ここで、図４において、パター１３の振り方について詳細に説明する。まず、ゴルフボール１６は、開口部５の略中央で図３に示したホール１８と照準点８ａ，８ｂを結ぶ直線１９の延長線上になるように載置する。なお、ゴルフボール１６は第２のブリッジ部４に形成されたボール挿通孔９を使用すると、簡単に外部から開口部５内に入れることができる。
使用者は、打出し方向２１や一対のガイド部２ａ，２ｂに平行になるように両足、両肩、腰を据えて、軽く膝を曲げ背中は伸ばして前傾姿勢をとり、頭を上方に引っ張り上げるように意識して、ゴルフボール１６の真上に目がくるように立つ。そして、パター１３のヘッド１５を開口部５に挿入してフェイス２０が一対のガイド部２ａ，２ｂに対して直角になるように、パターフェイスチェックポイント８ｄ、８を参照しながら調整する。
【００２７】
そして、使用者は、下半身を動かさないようにして、両手、両腕及び両肩を使って背骨を軸にして余裕幅Ｄを維持しながら一対のガイド部２ａ，２ｂに接触しないようにストロークする。まず、パター１３をパター１３ａの位置に真っ直ぐにバックする。このとき、フェイス２０ａは、フェイス２０と同様に一対のガイド部２ａ，２ｂに直角にし、ヘッド１５ａが一対のガイド部２ａ，２ｂに接触しないようにする。そして、打出し方向２１にパター１３ａを振って、再び、パター１３の位置にし、ゴルフボール１６にインパクトする。最後に、インパクトした後は、パター１３はパター１３ｂの位置になる。なお、パター１３及びパター１３ｂの位置においても、フェイス２０及びフェイス２０ｂは一対のガイド部２ａ，２ｂに直角にし、ヘッド１５及びヘッド１５ｂは一対のガイド部２ａ，２ｂに接触しないようにする。このようにしてパッティングを行うと、パター１３のフェイス２０は常に目標ラインに対して直角となり、繰り返し練習することで安定したパッティングストロークを習得することができる。
また、初心者から上級者へとパッティングの技量が向上するにつれて、一対のガイド部２ａ，２ｂの間の距離を狭めるように調整することが可能であるため、余裕幅Ｄの広狭が自在となり、練習者の技能レベルに応じて難易度を調整可能であるので、上級者になっても興味を失うことなく長期間に亘って、本ゴルフ練習器具１を利用可能である。さらに、余裕幅Ｄの広狭が練習者の技量レベルとして定量的に表現が可能であるため、練習者は上達のレベルを容易に認識可能である。
なお、パッティング練習器具１はグリーン１７上で使用することでより実践的な練習を可能にしているが、カップが装備されているパッティング練習用マット上やパッティング練習が可能な地面でカップを想定して練習することも可能である。
また、前述の通り、一対のガイド部２ａ，２ｂの幅は調整できるので、最初はヘッド１５の幅よりもやや広めに設定して練習し、慣れてきたら徐々に幅を狭くしていくとよい。
【００２８】
このように構成された本第１の実施の形態では、パターのヘッドを一対のガイド部に接触しないようにし、フェイスを常に直角にして振る練習ができるので、安定したパッティングストロークを体得し、パットの失敗を減じてスコアを向上させることが可能となる。
また、パッティング練習器具は解体可能でコンパクトに収納され、携帯できるので、練習場所を問わず、どこにでも持ち運んで練習することができる。特に、開口部の底部が開口しているので、ゴルフ場のグリーン上で練習すると、実際の芝目を体感しながら練習することができ、より実践的であるといえる。また、ゴルフ場のグリーン上で練習する際には、本パッティング練習器具に触れない状態では、グリーン上で器具なしでパッティングする場合と何ら違いはなく、この意味でも実践的と言える。
【００２９】
次に、本発明に係るパッティング練習器具の第２の実施の形態を図５に基づき説明する。（請求項１、請求項３乃至請求項６に対応）
図５（ａ）は、本発明の第２の実施の形態に係るパッティング練習器具の上面図であり、（ｂ）は、同じくパッティング練習器具の側面図であり、（ｃ）は、同じくパッティング練習器具の後面図である。
図５（ａ）乃至（ｃ）において、本第２の実施の形態に係るパッティング練習器具２２は、前述の第１の実施の形態とほぼ同様の構成であり、一対のガイド部２３ａ，２３ｂと、第１のブリッジ部２４と、第２のブリッジ部２５を有し、これらの一対のガイド部２３ａ，２３ｂ、第１のブリッジ部２４及び第２のブリッジ部２５によって上部と底部が開口し、パターを挿入してパッティング可能な開口部２６が形成されている。
また、第１のブリッジ部２４の上面には照準点３１ａ，３１ｂが設けられており、第２のブリッジ部２５の上面にも照準点３１ｃが設けられている。これらの照準点については、第１の実施の形態と同様にバリエーションが考えられることは言うまでもない。さらに、一対のガイド部２３ａ，２３ｂの上面にはパターフェイスチェックポイント３１ｄ，３１ｅが設けられており、この利用法については第１の実施の形態と同様であるため、本実施の形態においてはその説明を省略する。
【００３０】
本第２の実施の形態では、前述の第１の実施の形態の場合の一対のガイド部の幅調整を一のガイド部２３ａの移動のみによって行うものであり、第１のブリッジ部２４及び第２のブリッジ部２５は、一のガイド部２３ａに蝶ねじ２７及び蝶ねじ２９によってそれぞれ着脱可能に固定され、一方、他のガイド部２３ｂには不動ねじ２８，３０によってそれぞれ固定されている。この不動ねじ２８，３０は、一のガイド部２３ａに対して他のガイド部２３ｂを移動させて、これらのガイド部２３ａ，２３ｂ間の距離を調整するために用いるねじではない。
パッティング練習器具２２における一対のガイド部２３ａ，２３ｂの幅調整は、まず、一のガイド部２３ａの両端部に設けられている二のねじ穴にそれぞれ螺合されている蝶ねじ２７及び蝶ねじ２９を緩めていき、第１のブリッジ部２４及び第２のブリッジ部２５に形設される挿通孔から抜脱する。そして、第１のブリッジ部２４及び第２のブリッジ部２５に形設される他の適当な挿通孔に蝶ねじ２７及び蝶ねじ２９を挿通し、再度、一のガイド部２３ａの両端部の二のねじ穴に螺合して固定することによって幅調整が完了するので、第１の実施の形態の場合に比べると、着脱する蝶ねじの個数が少ないので作業が容易となり迅速に行うことができる。
【００３１】
なお、本第２の実施の形態においては、位置調整部は、蝶ねじ２７及び蝶ねじ２９と、一のガイド部２３ａに刻設される二のねじ穴と、第１のブリッジ部２４の挿通孔及び第２のブリッジ部２５の挿通孔によって構成される。
また、蝶ねじ２７は、第１のブリッジ部２４と一のガイド部２３ａの着脱可能な固定部材として、また、蝶ねじ２９は、第２のブリッジ部２５と一のガイド部２３ａの着脱可能な固定部材として、それぞれ一箇所ずつしか設置されていないが、複数箇所設置することも可能である。
そして、図示していないが、第１のブリッジ部２４及び第２のブリッジ部２５に形設される蝶ねじ２７及び蝶ねじ２９に対する挿通孔は、第１の実施の形態と同様に、複数個整列する挿通孔が二段に亘って配列され、一段目と二段目の挿通孔が重ならないように配置されているので、一対のガイド部２３ａ，２３ｂの幅調整は細かく設定することができる。
また、不動ねじ２８及び不動ねじ３０は、第１のブリッジ部２４及び第２のブリッジ部２５と一対のガイド部２３ａ，２３ｂの固定を容易に解除できるものとし、一対のガイド部２３ａ，２３ｂ、第１のブリッジ部２４及び第２のブリッジ部２５は取り外されてパッティング練習器具２２は解体され、収納及び携帯できるものである。
【００３２】
そして、図５（ｃ）において、第２のブリッジ部２５は長方形状であり、一対のガイド部２３ａ，２３ｂの下方が開口して、ボール挿通孔３２が形成されるように一対のガイド部２３ａ，２３ｂの上方に設置されている。このボール挿通孔３２では、パッティング練習器具２２の外部にあるゴルフボールを挿通させてパッティング練習器具２２の開口部２６にゴルフボールを入れるためのものである。
また、符号３１ａ〜３１ｃは照準点であり、第１の実施の形態の場合と同様に、パッティング練習器具２２をホール等の目標物に照準させるために用いる。
なお、この照準点３１ａ〜３１ｃは、図中ではそれぞれ１箇所のみ設置されているが、本実施の形態においては、一のガイド部２３ａのみを移動させて調整幅を変更するため、１箇所のみである場合には常にこれらの照準点が一対のガイド部２３ａ，２３ｂの中央に位置するとは限らない。
そこで、これらの照準点も複数設けておくか、あるいは照準点の位置候補に孔を設けておき、その孔に着脱可能に嵌合する照準点を設けて、一のガイド部２３ａの移動に伴い、照準点を移動させるようにしてもよい。このように構成することで、一対のガイド部２３ａ，２３ｂの間の中間に常に照準点を設けることが可能となり、ホール位置との関係を容易に調整することが可能となる。
予め蝶ねじ２７及び蝶ねじ２９に対する挿通孔位置に符号を付しておき、その挿通孔位置でガイド部２３ａが固定された際にガイド部２３ａ，２３ｂ間の中央位置に相当する照準点の孔に、先の符号と同じ符号を付すことで、容易に照準点を選択することが可能となる。
【００３３】
このように構成された第２の実施の形態においては、パッティングの練習方法は第１の実施の形態と同様であり、その詳細な説明は省略するが、ゴルフ場のグリーン上や各種練習装置上等で、開口部２６においてパターのヘッドを一対のガイド部２３ａ，２３ｂに接触させないように練習を行うことで、練習者の技量に応じて、パッティングの技法を効果的に習得することができる。
また、一対のガイド部２３ａ，２３ｂの幅調整を一のガイド部２３ａのみで行うので、操作が簡単であり、時間を浪費しないという利点がある。
【産業上の利用可能性】
【００３４】
以上説明したように、本発明の請求項１乃至請求項６に記載された発明は、パッティングの技術が確実に上達し、その上達レベルに応じて器具の調整が可能であり、かつその上達レベルを定量評価可能であり、さらに、構造が簡単で収納や携帯に便利なパッティング練習器具を提供可能であり、個人の練習用やゴルフ練習場の設置用具として利用可能である。
【図面の簡単な説明】
【００３５】
【図１】（ａ）及び（ｂ）は本発明の本第１の実施の形態に係るパッティング練習器具の斜視図である。
【図２】第１の実施の形態に係るパッティング練習器具の第１のブリッジ部の上面図である。
【図３】第１の実施の形態に係るパッティング練習器具の使用方法を説明するための概念図である。
【図４】第１の実施の形態に係るパッティング練習器具の使用方法を説明するための概念図である。
【図５】（ａ）は本発明の本第２の実施の形態に係るパッティング練習器具の上面図であり、（ｂ）は同じくパッティング練習器具の側面図であり、（ｃ）は同じくパッティング練習器具の後面図である。
【符号の説明】
【００３６】
１…パッティング練習器具  ２ａ，２ｂ…ガイド部  ３…第１のブリッジ部  ４…第２のブリッジ部  ５…開口部  ６ａ，６ｂ…蝶ねじ  ７ａ，７ｂ…蝶ねじ  ８ａ，８ｂ，８ｃ…照準点  ８ｄ，８ｅ…パターフェイスチェックポイント  ９…ボール挿通孔  １０ａ，１０ｂ…蝶ねじ  １１ａ，１１ｂ…蝶ねじ  １２ａ〜１２ｇ…挿通孔  １３，１３ａ，１３ｂ…パター  １４，１４ａ，１４ｂ…シャフト  １５，１５ａ，１５ｂ…ヘッド  １６…ゴルフボール  １７…グリーン  １８…ホール  １９…照準とホールを結ぶ直線  ２０，２０ａ，２０ｂ…フェイス  ２１…打出し方向  ２２…パッティング練習器具  ２３ａ，２３ｂ…ガイド部  ２４…第１のブリッジ部  ２５…第２のブリッジ部  ２６…開口部  ２７…蝶ねじ  ２８…不動ねじ  ２９…蝶ねじ  ３０…不動ねじ  ３１ａ，３１ｂ，３１ｃ…照準点  ３１ｄ，３１ｅ…パターフェイスチェックポイント  ３２…ボール挿通孔
【図１】
2008036115.tif 000003
【図２】
2008036115.tif 000004
【図３】
2008036115.tif 000005
【図４】
2008036115.tif 000006
【図５】
2008036115.tif 000007